(57)【特許請求の範囲】
【請求項１】
水底に沈殿する堆砂をポンプで吸引し、排砂管へ送り出す浚渫システムにおいて、
前記ポンプは、
高圧の動力水を送給する超高圧ポンプと、
噴射口、吸引口、及び吐出口を有し、前記超高圧ポンプから送給される動力水により駆動され、堆砂を吸引、圧送するエジェクターと、
先端にスクリュー式の破砕機を有し、堆砂を前記エジェクターに吸引搬送する吸引管と、
前記破砕機又は前記吸引管に接続され、前記破砕機と前記吸引管との接続付近に流体を注入する流体注入装置と、
を備え、
前記スクリュー式の破砕機は、
一端に開口を有し、他端に駆動モーター取付部を有する略円筒形状をなし、外周面の前記他端側に前記吸引管の接続口を形成され、内周面の前記接続口よりも前記開口側の中間部に前記開口側から前記駆動モーター取付部に向けて漸次小径の、堆砂に含まれる吸引、圧送の対象とする所定の大きさまでの礫その他の含有物を破砕するためのテーパー面が形成されてなる外筒と、
前記外筒の前記駆動モーター取付部に出力軸を前記外筒の軸芯と同芯上に配置して取り付けられる油圧式の駆動モーターと、
前記油圧式の駆動モーターの出力軸に前記外筒の軸芯に対して偏芯して作動連結され、正逆回転可能に駆動可能な回転軸と、
前記回転軸の少なくとも基端側に形成され、軸芯に対して直角方向の断面形状を略円形とし、外周面は略円錐台形で前記外筒の内周面のテーパー面に対向し当該テーパー面との間で、堆砂に含まれる吸引、圧送対象とする所定の大きさまでの礫その他の含有物を前記
エジェクターにより吸引、圧送可能に所定の大きさまで小さく破砕し取り込み可能なコーンスクリュー、及び前記回転軸の先端側から前記コーンスクリューに向けて当該コーンスクリューの外径よりも大きく前記外筒の内径よりも小さい螺旋状に形成され、前記外筒の開口側の内周面内に配置されて、堆砂に含まれる吸引、圧送対象とする所定の大きさまでの礫その他の含有物を破砕し取り込み可能なオーガ式のスクリューと、
を具備し、
前記エジェクターの噴射口、吐出口にそれぞれ、前記超高圧ポンプ、前記排砂管が接続され、前記エジェクターの吸引口と前記破砕機の接続口との間に前記吸引管が接続されるとともに、前記破砕機又は前記吸引管に前記流体注入装置が接続されて構成され、
前記エジェクターを前記破砕機及び前記流体注入装置とともに駆動して、前記破砕機の前記オーガ式のスクリューの正回転と前記エジェクターの真空吸引力とにより水底の堆砂を当該堆砂に含まれる吸引、圧送対象の所定の大きさまでの礫その他の含有物とともに前記外筒の開口から内部へ取り込み、当該堆砂に含まれる一定以上の硬さの礫は前記オーガ式のスクリューの逆回転により前記外筒の開口の外部へ排出し、前記外筒の内部に取り込まれた堆砂に含まれる吸引、圧送対象の所定の大きさまでの礫その他の含有物を前記オーガ式のスクリューで破砕し、これを前記外筒の前記テーパー面と前記コーンスクリューの前記外周面との間で前記エジェクターにより吸引、圧送可能な大きさに破砕しながら、前記流体注入装置により注入される前記流体と混合して、前記吸引管を通して前記エジェクターに吸引し、前記排砂管へ圧送する、
ことを特徴とする浚渫システム。
【請求項２】
コーンスクリューは、軸芯に対して直角方向の断面形状が略楕円形に形成されて、前記コーンスクリューの回転により、外筒のテーパー面と前記コーンスクリューの外周面との間の空間が拡大縮小可能に構成される請求項１に記載の浚渫システム。
【請求項３】
破砕機の外筒のテーパー面及び／又はコーンスクリューの外周面に肉盛構造の複数の凸部を有する請求項１又は２に記載の浚渫システム。
【請求項４】
破砕機は多関節アーム装置に取り付けられ、前記多関節アーム装置を介して堆砂の吸引先に向けて操作される請求項１乃至３のいずれかに記載の浚渫システム。
【請求項５】
破砕機に水中カメラが堆砂の吸引先に向けて取り付けられ、操作側に前記水中カメラにより撮像された画像情報を表示する表示装置が設置される請求項１乃至４のいずれかに記載の浚渫システム。
【請求項６】
流体に空気が採用され、流体注入装置は、空気を供給するコンプレッサーと、前記コンプレッサーと破砕機又は吸引管との間に接続される注入管とからなり、前記破砕機内又は前記吸引管内に空気を注入することにより、前記破砕機と前記吸引管との接続付近で土砂濃度を低下させ、併せて前記破砕機と前記吸引管との接続付近に振動を発生させて、前記破砕機内又は前記吸引管内の閉塞を防止する請求項１乃至５のいずれかに記載の浚渫システム。
【発明の詳細な説明】
【技術分野】
【０００１】
本発明は、ダムの貯水池、湖水、河川などの水底の堆砂の浚渫に使用する浚渫システムに関する。
【背景技術】
【０００２】
ダム貯水池の堆砂の進行により、貯水池容量の減少、上流河床の上昇、下流河床の低下、海岸線の後退などの問題が発生し、また、生物環境へ影響を及ぼすことが指摘されている。ダム貯水池の堆砂問題の解決を図ることは万国共通の課題であり、この問題を放置することは次世代に対する負の遺産の継承を意味する。したがって、ダム貯水池自体の機能の維持やダム及び河道の安全確保、流域管理の視点から、ダム貯水池の堆砂に関する対策を講じることが必要である。
【０００３】
この堆砂の対策には各種の工法があり、例えば、欧州諸国の発電用貯水池では、排砂バイパス・フラッシング排砂が多く、中国では、フラッシング排砂が多い。これに対して日本では、伝統的に掘削・浚渫が多く、特に、ダム貯水池内の水面下の堆砂の浚渫を必要とする場合、グラブ浚渫工法又はポンプ浚渫工法が一般に採用される。グラブ浚渫工法は、周知のとおり、グラブ船を用い、グラブバケットで水底に堆積した土砂を掘削する工法で、この種の工法が例えば特許文献１などに開示されている。ポンプ浚渫工法は、ポンプ船を用い、ポンプにより水底の土砂を吸い上げ、これを管路で搬送する工法で、この種の工法が例えば特許文献２などに開示されている。
【先行技術文献】
【特許文献】
【０００４】
【特許文献１】特開２００３−１６６２６２公報
【特許文献２】特開平３−２４４７１６公報
【発明の概要】
【発明が解決しようとする課題】
【０００５】
しかしながら、従来のグラブ浚渫工法では、グラブバケットの開閉構造により、必要以上の厚さの土砂を浚渫するため、水質の汚濁を発生させるだけでなく、余分な浚渫土砂の発生を招き、作業効率が悪いという問題がある。これに対して、従来のポンプ浚渫工法においては、ポンプにより土砂を連続的に吸引するため、作業効率がよく、また吸引部に濁りの発生が少ないというメリットがあるものの、他面で、この工法に用いられるポンプが遠心力によるインペラー方式の水中ポンプであるため、このような水中ポンプでは、多くのダム貯水池の堆砂に存在する粒径２００ｍｍ〜２５０ｍｍの大きな礫やごみなどの異物に対する適用性が低い、という問題がある。そして、このような浚渫工法の分野では、粒径２５０ｍｍ程度の大きな礫を含む砂礫土砂を対象として吸引を行い、例えば４００ｍに亘る長い距離を搬送することのできる技術がない、という問題がある。
【０００６】
本発明は、このような従来の問題を解決するものであり、ダム貯水池などの水底の（例えば、粒径２５０ｍｍ程の）大きな礫やごみなどの異物を含む堆砂を連続的に効率よく吸引し、（例えば、４００ｍ程の）長い距離を搬送することのできる新たなポンプを用いた浚渫システムを提供すること、を目的とする。
【課題を解決するための手段】
【０００７】
上記目的を達成するために、本発明は、水底に沈殿する堆砂をポンプで吸引し、排砂管へ送り出す浚渫システムにおいて、前記ポンプは、高圧の動力水を送給する超高圧ポンプ
と、噴射口、吸引口、及び吐出口を有し、前記超高圧ポンプから送給される動力水により駆動され、堆砂を吸引、圧送するエジェクターと、先端にスクリュー式の破砕機を有し、堆砂を前記エジェクターに吸引搬送する吸引管と、前記破砕機又は前記吸引管に接続され、前記破砕機と前記吸引管との接続付近に流体を注入する流体注入装置とを備え、前記スクリュー式の破砕機は、一端に開口を有し、他端に駆動モーター取付部を有する略円筒形状をなし、外周面の前記他端側に前記吸引管の接続口を形成され、内周面の前記接続口よりも前記開口側の中間部に前記開口側から前記駆動モーター取付部に向けて漸次小径の、堆砂に含まれる吸引、圧送の対象とする所定の大きさまでの礫その他の含有物を破砕するためのテーパー面が形成されてなる外筒と、前記外筒の前記駆動モーター取付部に出力軸を前記外筒の軸芯と同芯上に配置して取り付けられる油圧式の駆動モーターと、前記油圧式の駆動モーターの出力軸に前記外筒の軸芯に対して偏芯して作動連結され、正逆回転可能に駆動可能な回転軸と、前記回転軸の少なくとも基端側に形成され、軸芯に対して直角方向の断面形状を略円形とし、外周面は略円錐台形で前記外筒の内周面のテーパー面に対向し当該テーパー面との間で、堆砂に含まれる吸引、圧送対象とする所定の大きさまでの礫その他の含有物を前記エジェクターにより吸引、圧送可能に所定の大きさまで小さく破砕し取り込み可能なコーンスクリュー、及び前記回転軸の先端側から前記コーンスクリューに向けて当該コーンスクリューの外径よりも大きく前記外筒の内径よりも小さい螺旋状に形成され、前記外筒の開口側の内周面内に配置されて、堆砂に含まれる吸引、圧送対象とする所定の大きさまでの礫その他の含有物を破砕し取り込み可能なオーガ式のスクリューとを具備し、前記エジェクターの噴射口、吐出口にそれぞれ、前記超高圧ポンプ、前記排砂管が接続され、前記エジェクターの吸引口と前記破砕機の接続口との間に前記吸引管が接続されるとともに、前記破砕機又は前記吸引管に前記流体注入装置が接続されて構成され、前記エジェクターを前記破砕機及び前記流体注入装置とともに駆動して、前記破砕機の前記オーガ式のスクリューの正回転と前記エジェクターの真空吸引力とにより水底の堆砂を当該堆砂に含まれる吸引、圧送対象の所定の大きさまでの礫その他の含有物とともに前記外筒の開口から内部へ取り込み、当該堆砂に含まれる一定以上の硬さの礫は前記オーガ式のスクリューの逆回転により前記外筒の開口の外部へ排出し、前記外筒の内部に取り込まれた堆砂に含まれる吸引、圧送対象の所定の大きさまでの礫その他の含有物を前記オーガ式のスクリューで破砕し、これを前記外筒の前記テーパー面と前記コーンスクリューの前記外周面との間で前記エジェクターにより吸引、圧送可能な大きさに破砕しながら、前記流体注入装置により注入される前記流体と混合して、前記吸引管を通して前記エジェクターに吸引し、前記排砂管へ圧送する、ことを要旨とする。
【０００８】
また、この浚渫システムは次の各部に次のような構成を有することが好ましい。
（１）コーンスクリューは、軸芯に対して直角方向の断面形状が略楕円形に形成されて、前記コーンスクリューの回転により、外筒のテーパー面と前記コーンスクリューの外周面との間の空間が拡大縮小可能に構成される。
（２）破砕機の外筒のテーパー面及び／又はコーンスクリューの外周面に肉盛構造の複数の凸部を有する。
（３）破砕機は多関節アーム装置に取り付けられ、前記多関節アーム装置を介して堆砂の吸引先に向けて操作される。
（４）破砕機に水中カメラが堆砂の吸引先に向けて取り付けられ、操作側に前記水中カメラにより撮像された画像情報を表示する表示装置が設置される。
（５）流体に空気が採用され、流体注入装置は、空気を供給するコンプレッサーと、前記
コンプレッサーと破砕機又は吸引管との間に接続される注入管とからなり、前記破砕機内又は前記吸引管内に空気を注入することにより、前記破砕機と前記吸引管との接続付近で土砂濃度を低下させ、併せて前記破砕機と前記吸引管との接続付近に振動を発生させて、前記破砕機内又は前記吸引管内の閉塞を防止する。
【発明の効果】
【０００９】
本発明の浚渫システムによれば、上記の構成により、エジェクターを破砕機及び流体注入装置とともに駆動して、破砕機のオーガ式のスクリューの正回転とエジェクターの真空吸引力とにより水底の堆砂を当該堆砂に含まれる吸引、圧送対象の所定の大きさまでの礫その他の含有物とともに外筒の開口から内部へ取り込み、当該堆砂に含まれる一定以上の硬さの礫はオーガ式のスクリューの逆回転により外筒の開口の外部へ排出し、外筒の内部に取り込まれた堆砂に含まれる吸引、圧送対象の所定の大きさまでの礫その他の含有物をオーガ式のスクリューで破砕し、これを外筒のテーパー面とコーンスクリューの外周面との間でエジェクターにより吸引、圧送可能な大きさに破砕しながら、流体注入装置により注入される流体と混合して、吸引管を通してエジェクターに吸引し、排砂管へ圧送するようにしたので、ダム貯水池などの水底の大きな礫やごみなどの異物を含む堆砂でも連続的に効率よく吸引することができ、特に、この破砕機の場合、例えば、最大粒径２５０ｍｍ程度の大きさの石やごみでもオーガ式のスクリューにより外筒の開口から内部に取り込み破砕し、これを外筒のテーパー面とコーンスクリューの外周面との間で大きな衝撃力で圧接し、エジェクターに吸引可能に例えば粒径１５０ｍｍ以下に破砕することができ、また他面で、この破砕機ですべての石を破砕しようとすると、モーターが大きくなりすぎるため、この破砕機では、一定の硬さ以上の礫は破砕せず、スクリューの逆回転により、破砕機外に排出することができ、しかも、エジェクターの駆動中は、常に吸引力が働いているので、スクリューを逆回転しても、土砂を連続的に吸引することができ、土砂吸引の効率を高めることができる、という格別な効果を奏する。
【図面の簡単な説明】
【００１０】
【図１】本発明の一実施の形態における浚渫システムの構成を示すブロック図
【図２】同システムに用いるエジェクターの構成を示す図
【図３】同システムに用いる破砕機の構成を示す図（（ａ）は側面断面図（ｂ）は先端面図）
【図４】同システムを用いた浚渫工法を示す図
【発明を実施するための形態】
【００１１】
次に、この発明を実施するための形態について図を用いて説明する。図１に浚渫システムの構成を示している。図１に示すように、浚渫システムＳは、水底に沈殿する堆砂をポンプで吸引し、排砂管６へ送り出す形式のシステムで、このシステムＳのポンプは、高圧の動力水を送給する超高圧ポンプ１と、噴射口、吸引口、及び吐出口を有し、超高圧ポンプ１から送給される動力水により駆動され、堆砂を吸引、圧送するエジェクター２と、先端にスクリュー式の破砕機４を有し、堆砂をエジェクター２に吸引搬送する吸引管３と、破砕機４又は吸引管３に接続され、破砕機４と吸引管３との接続付近に流体を注入する流体注入装置５とを備え、エジェクター２の噴射口、吸引口、吐出口にそれぞれ、超高圧ポンプ１、吸引管３、排砂管６が接続され、破砕機４又は吸引管３に流体注入装置５が接続されて構成される。
【００１２】
この浚渫システムＳでは、最大粒径（直径）２５０ｍｍ程度までの大きさの石やごみを含む砂礫土砂を吸引、圧送対象として、超高圧ポンプ他各ポンプ機器が製作され、これらのポンプ機器がユニットフロートを用いた台船上に配置されて組み立てられる（図４参照）。
【００１３】
超高圧ポンプ１は、エジェクター２で最大粒径１５０ｍｍ程度の石などを含む砂礫土砂を吸引、圧送するのに必要な高い圧力で大容量の動力水をエジェクター２に供給可能に、ポンプ性能として１８００回転／分で揚程１．５ＭＰａ、流量５ｍ3／分程度の送水が可能な大型の両吸込渦巻ポンプ１１、１２が２台使用され、これらのポンプ１１、１２が並列に連結されて、揚程１．５ＭＰａ、流量１０ｍ3／分程度の能力を有する。この場合、両吸込渦巻ポンプ１１、１２の動力はモーターでもよいが、エンジンが採用され、２２０ｋｗ相当のエンジンが取り付けられる。なお、エンジン式の超高圧ポンプにしたことで全体がコンパクトになる利点がある。
【００１４】
エジェクター２は、図２に示すように、一端にノズル接続口２１１、他端に内管接続口２１２をそれぞれ有し、周面に吸引管接続口（吸引口）２１３を有するエジェクター本体をなす外管２１と、外管２１のノズル接続口２１１に嵌め込み固定されて、高圧水（ジェット水）を発生させるため噴射口をなすノズル２２と、外管２１の内管接続口２１２に嵌め込み固定されて、高圧水を受ける吐出口をなす内管２３とからなり、このエジェクター２内に最大粒径１５０ｍｍ程度の礫などを含む砂礫土砂を吸引、圧送可能に、ノズル２２の直径を６０ｍｍ以上、内管２２の直径を２００ｍｍ以上（例えば、３００ｍｍ）とし、ノズル２２から内管２３までの距離を１５０ｍｍ〜４５０ｍｍの範囲、内管２３の長さを５００ｍｍ〜２０００ｍｍの範囲とする。なお、このエジェクター２は大型の超高圧ポンプ１に対応する大型のもので、自動制御された最適空気を外部から導入する点、絞りのない内管２３を用いて真空を発生させる点で通常のエジェクターと異なり、その他管の磨耗に強い、管の閉塞や詰まりに強い、高濃度で吸引できる、吸引部の汚濁発生がない、などの利点がある。
【００１５】
吸引管３は、フレキシブルホース又は鋼管が使用され、この吸引管３内に最大粒径１５０ｍｍ程度の礫などを含む砂礫土砂を吸引搬送可能に、直径を２００ｍｍ以上とし、長さを閉塞防止のため２０ｍ以下とする。この吸引管３はエジェクター２の外管２１の吸引管接続口２１３に連結固定される。
【００１６】
破砕機４は、図３に示すように、一端に開口４０を有し、他端に駆動モーター取付部４１を有する略円筒形状をなし、外周面の他端側に吸引管３の接続口４２を形成され、内周面の接続口４２よりも開口４０側の中間部に開口４０側から駆動モーター取付部４１に向けて漸次小径のテーパー面４３が形成されてなる外筒４４と、外筒４４の駆動モーター取付部４１に出力軸４５を外筒４４の軸芯と同芯上に配置して取り付けられる油圧式の駆動モーター４６と、油圧式の駆動モーター４６の出力軸４５に外筒４４の軸芯に対して偏芯して作動連結され、正逆回転可能に駆動可能な回転軸４７と、回転軸４７の少なくとも基端側に形成され、軸芯に対して直角方向の断面形状を略楕円形とするコーンスクリュー４８、回転軸４７の先端側からコーンスクリュー４８に向けて螺旋状に形成されるオーガ式のスクリュー４９、及び回転軸４７の先端に取り付けられるウィング４９１とを具備し、外筒４４の外周面の接続口４２に吸引管３（の先端）が接続される。
この破砕機４では、外筒４４内周面のテーパー面４３の駆動モーター取付部４１側の端部に延長して当該端部と略同じ高さの段部４３Ｅが形成されて、これらテーパー面４３及び段部４３Ｅの各面に破砕ビットもしくは肉盛溶接により複数の凸部４３１が設けられる。このような外筒４４において、コーンスクリュー４８は外筒４４内のテーパー面４３及び段部４３Ｅに対応する位置に配置され、コーンスクリュー４８の外周面４８０はテーパー面４３に対向する面が所定の外形寸法の略円錐台形に形成され、段部４３Ｅに対向する面が所定の外形寸法の略円柱形に形成され、これら略円錐台形及び略円柱形の各面に肉盛溶接により複数の凸部４８１が設けられる。このようにして外筒４４のテーパー面４３及び段部４３Ｅとコーンスクリュー４８の外周面４８０との間に、粒径２５０ｍｍ程度の大きさの石やごみでも取り込み、かつエジェクター２に吸引可能な粒径１５０ｍｍ以下に破砕できるように、所定の間隔の空間が設けられ、また、既述のとおり、コーンスクリュー４８は軸芯に対して直角方向の断面形状が略楕円形に形成されて、外筒４４内でコーンスクリュー４８の回転により、外筒４４内のテーパー面４３及び段部４３Ｅとコーンスクリュー４８の外周面４８０との間の空間を拡大縮小可能になっていて、外筒４４内のテーパー面４３及び段部４３Ｅの複数の凸部４３１とコーンスクリュー４８の外周面４８０の複数の凸部４８１はそれぞれ、この間隔が可変される空間に向けて突出される。なお、オーガ式のスクリュー４９の外径はコーンスクリュー４８の外径よりも大きく、外筒４４の開口４０側の内周面の内径よりも少し小さくなっており、開口４０側の内周面内に配置される。先端のウィング４９１は破砕機４内で詰まりそうな大きな礫などを跳ね飛ばすため、外筒４４の開口４０内に回転可能に配置される。このような構成からなる破砕機４は、最大粒径２５０ｍｍ程度の大きさの石やごみでも外筒４４の開口４０から内部に取り込み、外筒４４の内周面のテーパー面４３及び段部４３Ｅの各面とコーンスクリュー４８の外周面４８０との間の拡縮される空間で外筒４４のテーパー面４３及び段部４３Ｅの各面とコーンスクリュー４８の外周面４８０とにより各面の複数の凸部４３１、４８１を介して大きな衝撃力で圧接し、エジェクター２に吸引可能に粒径１５０ｍｍ以下に破砕可能になっている。
また、この破砕機４ですべての石を破砕しようとすると、モーターが大きくなりすぎるため、この破砕機４では、一定の硬さ以上の石は破砕せず、スクリュー４８、４９の逆回転により、破砕機４外に排出するものとする。この破砕機４の場合、エジェクター２の駆動中は、常に吸引力が働いているので、スクリュー４８、４９を逆回転しても、土砂を連続的に吸引しており、土砂吸引の効率を高めることができる。
かかる破砕機４は多関節アーム装置に取り付けられ、多関節アーム装置を介して堆砂の吸引先に向けて操作される。この場合、多関節アーム装置に、図４に示すように、ロングアームバックホウＢが利用され、破砕機４はバックホウＢのロングアームａの先端に取り付けられる。なお、破砕機４の油圧ユニットは破砕機専用のものでもよいが、破砕機４の操作にバックホウＢを使用するので、バックホウＢに搭載された油圧ユニットを使用してもよい。バックホウＢの油圧ユニットを用いることで、破砕機４の回転数を例えば２０ｒｐｍ〜１００ｒｐｍの範囲で自由に変えることができ、オペレーターはバックホウＢの油圧メーターを見ながら破砕機４を操作することができる。
また、この場合、破砕機４には水中カメラ７０が堆砂の吸引先に向けて取り付けられ、操作側、この場合、バックホウＢの運転席に水中カメラ７０により撮像された画像情報を表示するモニター（表示装置）７１が設置される。このようにしてオペレーターはモニター７１を使って堆砂の吸引先の状態を確認しながら作業を行うことができ、堆砂の吸引効率を向上させることができる。
【００１７】
破砕機４又は吸引管３に注入する流体は空気が採用される。流体注入装置５は空気注入装置で、図１に示すように、空気を供給するコンプレッサー５０と、コンプレッサー５０と破砕機４又は吸引管３との間に接続される注入管５１とからなる。この場合、コンプレッサー５０に接続された注入管５１は、破砕機４外周面の吸引管の接続口４２に形成された空気注入口に注入管５１の吹出し口が土砂の吸引方向に向けて接続される。空気量は１気圧換算で５ｍ3／分以下とする。吸引管３の長さが１５ｍ程度を超える場合、吸引管３内の土砂濃度は５〜８パーセント以上と濃くなって、吸引管３が閉塞する恐れがあるが、破砕機４の内部で破砕機４と吸引管３との接続付近に空気を注入することにより、吸引管３の閉塞を防止することができる。
【００１８】
排砂管６は、鋼管が使用され、この排砂管６内に最大粒径１５０ｍｍ程度の礫などを含む砂礫土砂を排送可能に、１本の鋼管の直径を４００ｍｍ又はそれ以上、長さを６ｍとし、複数の鋼管をそれぞれ、ゴムジョイントを介して、各鋼管のフランジをボルト止めすることにより連結して、延長を２００ｍ〜４００ｍとする。また、この排砂管６を水に浮かせて配管するため、鋼管１本につき２個のフロートを設置して貯水池に配管する。なお、この排砂管６で距離４００ｍ以上の砂礫土砂の輸送を行う場合は、図１に示すように、排砂管６に流体を挿入する。この場合、流体は空気とし、空気注入装置８により空気を注入する。空気注入装置８は空気を供給するコンプレッサー８１と、コンプレッサー８１と排砂管６との間に接続される注入管８２とからなり、注入管８２がエジェクター２の吐出口の先０〜２０ｍの位置で排砂管６の一部に配管された空気挿入管８０に接続され、排砂管６内に空気を供給する。空気量は１気圧換算で２０ｍ3／分以下とする。
【００１９】
この浚渫システムＳはこのような超高圧ポンプ１、エジェクター２、吸引管３、破砕機４、流体注入装置５及び排砂管６を備え、エジェクター２の噴出口のノズル２２に超高圧ポンプ１を接続し、吸引口２１３に吸引管３を接続し、吐出口の内管２３に排砂管６を接続し、破砕機４に流体注入装置５を接続して構成され、エジェクター２を破砕機４及び流体注入装置５とともに駆動して、水底の堆砂を、当該堆砂に含まれる吸引、圧送対象とする所定の大きさまでの礫その他の含有物を破砕機４で所定の粒径以下の大きさに破砕しながら、流体注入装置５により注入される空気と混合して、吸引管３を通してエジェクター２に吸引し、排砂管６へ圧送するようになっている。
【００２０】
続いて、この浚渫システムＳを用いた浚渫施工について説明する。図４に示すように、バックホウＢのロングアームａの先端に取り付けられた破砕機４をロングアームａの操作によりダム貯水池の水底に向けて降ろし、破砕機４の先端開口４０を堆砂面に対して適宜の距離にセットする。この場合の作業は、破砕機４に取り付けられた水中カメラ７０及び操作側に設置されたモニター７１により、水底の堆砂面の状態を確認することにより、効率よく行うことができる。そして、超高圧ポンプ１を駆動してエジェクター２を作動させるとともに、破砕機４及び流体注入装置５を駆動する。
図１、図２及び図３において、超高圧ポンプ１の駆動によりこの超高圧ポンプ１から高圧の大容量の動力水がエジェクター２に送給され、この動力水がエジェクター２のノズル２２で絞られて秒速５０ｍを超える流速でエジェクター２の内部に内管２３に向けて噴射され、これによってエジェクター２の内部に高い負圧が発生し、エジェクター２の吸引口２１３を介してエジェクター２の外部から内部に向けて真空吸引力が働く。この真空吸引力により、水底の堆砂が破砕機４の開口４０から連続的に吸入され、吸引管３、吸引口２１３を通してエジェクター２内部に連続的に吸引され、内管２３を通じて排砂管６へ圧送される。
また、このとき、破砕機４の駆動により破砕機４の各スクリュー４８、４９が回転され、併せて、空気注入装置５の駆動により破砕機４内部の破砕機４と吸引管３との接続付近に空気が砂礫土砂の吸引方向に注入されるので、堆砂に含まれる吸引、圧送対象の所定の大きさまでの礫その他の含有物が破砕機４内で所定の粒径又は大きさ以下に破砕され、これらの礫その他の含有物を含む砂礫土砂に空気が混合されて、吸引管３に吸引される。
この場合、既述のとおり、超高圧ポンプ１による高い圧力と大容量の動力水の送給能力と、これに対応可能な大口径の内管２３を有する大型の特殊エジェクター２とにより、エジェクター２は粒径１５０ｍｍ程度の石を吸引、圧送することができ、また、破砕機４は直径２５０ｍｍ程度の大きさの石を取り込み、１５０ｍｍ程度以下に破砕する能力を有するので、破砕機４から吸入される砂礫土砂の中に直径２５０ｍｍ程度の大きさの石が含まれていても、この石は破砕機４で１５０ｍｍ程度以下に破砕されて、砂礫土砂とともに、吸引管３を通じてエジェクター２内部へ送られ、内管２３を通して排砂管６へ排送される。
また、この場合、吸引管３内の土砂濃度が濃い場合、吸引管３の長さが１５ｍを超えると、閉塞する可能性が高まるが、破砕機４内部で破砕機４と吸引管３との接続付近に空気が注入され、砂礫土砂に混合されるので、吸引管３内の砂礫土砂の見かけの流速が速くなって、土砂濃度が低くなり、併せて、この空気の注入により破砕機４と吸引管３との接続付近に適度の振動が発生し、この振動により砂礫土砂が流動しやすくなり、吸引管３内が砂礫土砂により閉塞されるのを防止される。
このようにして最大粒径２５０ｍｍ程度の石を含む砂礫土砂であっても、エジェクター２に連続的に吸引され、排砂管６に圧送される。
なお、エジェクター２の内管２３の先０〜２０ｍの位置で排砂管６の一部に配管された空気挿入管８０に空気注入装置８により空気が供給され、排砂管６内に排送される砂礫土砂に空気が混合されるので、排砂管６内の土砂濃度が低くなり、排砂管６内が砂礫土砂により閉塞されるのを防ぎ、所定の排送先まで確実に排送されることになる。
【００２１】
以上説明したように、この浚渫システムＳによれば、超高圧ポンプ１、エジェクター２、吸引管３、破砕機４、流体注入装置５及び排砂管６を備え、エジェクター２の噴出口のノズル２２に超高圧ポンプ１を接続し、吸引口２１３に吸引管３を接続し、吐出口の内管２３に排砂管６を接続し、破砕機４に流体注入装置５を接続して構成され、エジェクター２を破砕機４及び流体注入装置５とともに駆動して、水底の堆砂を、当該堆砂に含まれる吸引、圧送対象とする所定の大きさまでの礫その他の含有物を破砕機４で所定の粒径又は大きさ以下に破砕しながら、流体注入装置５により注入される空気と混合して、吸引管３を通してエジェクター２に吸引し、排砂管６へ圧送するので、ダム貯水池などの水底の大きな礫やごみなどの異物を含む堆砂でも連続的に効率よく吸引することができる。
この浚渫システムＳの場合、特に、超高圧ポンプ１による高い圧力と大容量の動力水の送給能力と、これに対応可能な大口径の内管２３を有する大型特殊のエジェクター２とにより、エジェクター２は粒径１５０ｍｍ程度の石を吸引、圧送することができ、また、破砕機４は直径２５０ｍｍ程度の大きさの石を取り込み、１５０ｍｍ程度以下に破砕する能力を有するので、破砕機４から吸入される砂礫土砂の中に直径２５０ｍｍ程度の大きさの石が含まれていても、この石を破砕機４で１５０ｍｍ程度以下に破砕して、砂礫土砂とともに、吸引管３を通じてエジェクター２内部へ連続的に吸引し、排砂管６へ圧送することができる。
また、この浚渫システムＳの場合、吸引管３の長さが１５ｍ程度を超えるものであっても、破砕機４内部で破砕機４と吸引管３との接続付近に空気を注入し、砂礫土砂に混合するので、吸引管３内の土砂濃度を低くすることができ、さらに、この空気の注入により破砕機４と吸引管３との接続付近に適度の振動を発生し、この振動により砂礫土砂を流動しやすくすることができ、これらの作用により、吸引管３内が砂礫土砂により閉塞されるのを防止することができる。
【００２２】
（この浚渫システムＳによる砂礫土砂の吸引、輸送、陸揚げの試験施工の結果）
この浚渫システムＳを用いて、水深４〜９ｍの貯水池で堆積砂礫を大きな玉石は破砕機４で破砕又は除去しながら吸引を行い、最大４００ｍの距離を輸送し陸揚げしたところ、河床の状況にもよるが、吸引、輸送した砂礫土砂は１時間当たり３５ｍ3程度であり、吸引された土砂の中に粒径２００ｍｍ程度の石、長さ５００ｍｍ程度の木片、自動車のタイヤなどが混ざっており、この浚渫システムＳが、貯水池内の粒径の大きな石や長い木片、ごみなどの異物に対する適応性が高いことを確認できた。
この浚渫システムＳによれば、水中に堆積した土砂を、貯水池運用に大きく制約を与えることなしに、効果的に採取、輸送することができ、ダム貯水池の堆砂対策として有効で、採取した土砂をダム下流河川に供給することにより河川の環境改善にも資する新たな工法として今後の発展を期待することができる。
【００２３】
なお、この実施の形態では、破砕機の外筒のテーパー面及び段部の各面とコーンスクリューの外周面に複数の凸部を設けたが、破砕機の外筒のテーパー面及び段部又はコーンスクリューの外周面のいずれか一方にのみ複数の凸部を設けるようにしてもよい。
また、この実施の形態では、流体に空気を採用し、流体注入装置を、空気を供給するコンプレッサーと、コンプレッサーと破砕機又は吸引管との間に接続する注入管とにより構成したが、流体に水その他の液体を採用し、流体注入装置を水その他の液体を供給する供給装置と、この供給装置と破砕機又は吸引管との間に接続する注入管とにより構成してもよい。
このようにしても上記実施の形態と略同様の作用効果を得ることができる。
さらに、エジェクターは水中エジェクターとして水中に設置するようにしてもよい。水深の深い箇所を浚渫する場合には、吸引管を長くするよりもエジェクターを水中に設置して吸引管を短くした方が有利となる。
【符号の説明】
【００２４】
Ｓ  浚渫システム
１  超高圧ポンプ
２  エジェクター
２１１  ノズル接続口
２１２  内管接続口
２１３  吸引管接続口（吸引口）
２１  外管
２２  ノズル（噴射口）
２３  内管（吐出口）
３  吸引管
４  破砕機
４０  開口
４１  駆動モーター取付部
４２  吸引管の接続口
４３  テーパー面
４３Ｅ  段部
４３１  凸部
４４  外筒
４５  出力軸
４６  油圧式の駆動モーター
４７  回転軸
４８  コーンスクリュー
４８０  外周面
４８１  凸部
４９  オーガ式のスクリュー
４９１  ウィング
５  流体注入装置（空気注入装置）
５０  コンプレッサー
５１  注入管
６  排砂管
７０  水中カメラ
７１  モニター（表示装置）
８  空気注入装置
８０  空気挿入管
８１  コンプレッサー
８２  注入管
【図１】
0005860249.tif 000002
【図２】
0005860249.tif 000003
【図３】
0005860249.tif 000004
【図４】
0005860249.tif 000005